(57)【要約】【課題】  トランスポートストリームを受信してそのストリームを表示する間に、撮影モードによる撮影機会をタイムリーに確保する。【解決手段】  配信されるトランスポートストリームを受信手段で受信し、受信した動画データを複合してＬＣＤパネルに表示する受信モードを起動中に、レリーズボタンの半押し操作が行われた場合に、撮像モードに移行してＣＣＤセンサで撮像する画像をＬＣＤパネルに表示する。また、撮影モードに移行した間で受信するストリームをメモリに記録する。さらに、撮影モードで撮像した後にはストリーム録画を終了するとともに、自動的に受信モードに復帰して受信中のストリームを再びＬＣＤパネルに表示する。【選択図】        図２
2005303368.tif 000002
【特許請求の範囲】
【請求項１】
撮影指示手段の操作に応答して撮像手段で撮像する画像データを表示部にスルー表示するとともに、記録指示手段の操作に応答してその時点の画像データをメモリに記録する撮影モードを備えた携帯型電子機器において、
配信される動画データを受信手段で受信し、受信した動画データを前記表示部に表示する受信モードを起動中に、前記撮影指示手段の操作が行われた場合には、前記撮影モードに移行する制御手段を備えたことを特徴とする携帯型電子機器。
【請求項２】
前記制御手段は、前記動画データを受信中に撮影モードに移行した場合、その撮影モードを起動している間だけ、受信した動画データを前記メモリ又はそれとは異なる第２のメモリに記録することを特徴とする請求項１記載の携帯型電子機器。
【請求項３】
前記制御手段は、前記動画データを受信中に撮影モードに移行した場合、前記記録指示手段の操作に応答して撮像した画像を記録した後には再び受信モードに移行して、前記表示部の表示を動画データに切り換えることを特徴とする請求項１又は２記載の携帯型電子機器。
【発明の詳細な説明】
【技術分野】
【０００１】
本発明は、電子カメラと、例えばテレビチューナーなどの動画配信受信機能などを備えた携帯型電子機器に関するものである。
【背景技術】
【０００２】
従来、携帯型電子機器としては、移動体端末機である携帯電話やＰＤＡ（Personal Digital Assistant) 装置などが知られている（特許文献１）。このような電子機器には、いつでも好きなときに所望する画像を撮影することができるように電子カメラを内蔵したものや、いつでも好きなときにテレビが見られるようにテレビチューナーを内蔵したものが知られている（特許文献２）。
【０００３】
特許文献２に記載の発明では、動画配信をシーケンシャルに受信する機能やテレビ電話の機能などの携帯電話の機能と、地上波デジタル放送をシーケンシャルに受信する機能との両方を使用することができる携帯電話機が記載されており、大型化、軽量化、及びコストアップを招くことがないように符号化復号処理などの回路の共通化を図っている。そこで、電子カメラとテレビチューナーとの両方を内蔵した電子機器も望まれている。
【０００４】
【特許文献１】特開２００３−３０９７５６号公報
【特許文献２】特開２００３−１５３１１１号公報
【発明の開示】
【発明が解決しようとする課題】
【０００５】
この場合でも、撮像した画像データ、及び、地上波デジタル用テレビチューナーで受信した動画像データを符号化及び復号するデータ処理回路として同一の処理部を用いればよい。しかしながら、テレビ放送の動画データを表示中又は記録中に、撮影モードを起動した場合、共通に使用するデータ処理回路ではテレビ放送を受信した画像を復号しているため、電子カメラで撮像した画像をデータ処理回路で符号化することができないという問題点を有している。このため、テレビ放送の表示を一時的に中止することになる。
【０００６】
また、例えば地上波デジタル放送では、１チャンネル５．７ＭＨｚの周波数を１３のセグメントに分け、このうち一つのセグメントを移動体端末専用に割り当てている。アンテナの小さい携帯電話などの移動体端末に映像を送るためには、映像情報を圧縮する技術が不可欠である。しかし、高画質が得られるように圧縮率を高くする技術、例えば「ＭＰＥＧ−４」や「Ｈ．２６４」規格の技術を使用するためには、アルゴリズムの複雑さが高くなり、再生する側のハード、例えば半導体チップにおいてチップ面積が大きくなることや動作周波数が高くなるといった問題を引き起こす。
【０００７】
本発明は、テレビチューナーで受信するテレビ放送やＷｅｂ配信される動画データなどのトランスポートストリームをシーケンシャルに受信してそのストリームを表示する間に、撮影モードによる撮影機会をタイムリーに確保することができる携帯型電子機器を提供することを目的とする。
【課題を解決するための手段】
【０００８】
前記目的を達成するために、本発明の携帯型電子機器では、撮影指示手段の操作に応答して撮像手段で撮像する画像データを表示部にスルー表示するとともに、記録指示手段の操作に応答して撮像して得た画像データを符号化してメモリに記録する撮影モードを備えた形態型電子機器において、配信される動画データを受信手段で受信し、受信した動画データを復号して表示部に表示する受信モードを起動中に前記撮影指示手段の操作が行われた場合に、前記撮像モードに移行することを特徴とするものである。これによれば、撮影モード（割り込み撮影モード）に移行すると、撮像する画像を前記表示部にスルー表示するとともに、前記記録指示手段の操作に応答してその時点で取り込んだ画像データをメモリに記録するため、動画を受信中でもシャッタチャンスを逃さずに撮影を行うことができる。
【０００９】
動画データを受信中に撮影モードに移行した場合、撮影モードを起動している間だけテレビ放送を受信して得た動画データを、前記メモリ又はそれとは異なる第２メモリに記録するように制御手段が制御してもよい。
【００１０】
動画データを受信中に撮影モードに移行して前記記録指示手段の操作により撮像画像を記録した場合、その記録後に再び受信モードに移行して、撮像画像を表示していた表示部に、動画データを切り換えて表示するように制御部が制御するようにしてもよい。
【００１１】
本発明の携帯型電子機器に最も最適な構成としては、配信される動画データを受信手段で受信し、受信した動画データをデータ処理部で復号して表示部に表示する受信モードと、撮像手段で撮像した画像データを表示部にスルー表示するとともに、シャッタレリーズに応答して撮像した画像を圧縮処理部で符号化してメモリに記録する撮影モードと、受信モードと撮影モードとの何れか一方を選択する選択操作部と、選択操作部で選択したモードを起動するとともに、受信モードを起動中に選択操作部で撮影モードを選択することに応答して撮影モードに移行する制御手段とを備えるのが好適である。
【００１２】
制御手段としては、撮影指示手段の操作に応答して撮像手段で撮像する画像データを表示部にスルー表示するとともに、記録指示手段の操作に応答して撮像して得た画像データを符号化してメモリに記録する撮影モードを実行する第１の制御手段と、配信される動画データを受信手段で受信し、受信した動画データを復号して前記表示部に表示する受信モードを実行する第２の制御手段とを備える。これら制御手段のうちの何れか一方に表示部を制御する役割を持たせ、その一方の制御手段で他方の制御手段を同期して制御するように構成すればよい。
【発明の効果】
【００１３】
このように本発明では、受信モードを起動中に撮影指示手段の操作が行われた場合に、撮像モードに移行するため、動画データを表示中でもシャッタチャンスを逃さずに撮影を行うことができる。また、他の発明では、割り込み撮影モードに移行したときには、その間に配信される動画データをメモリに記録するから、撮影中に見逃した動画データのシーンなどを後で再生して確認することができる。さらに、別の発明では、動画データを受信中に移行した撮影モードにおいて撮像手段で撮像した画像データを記録した後には、再び受信モードに自動的に戻るため、一々受信モードに戻す操作を必要としないから簡便である。
【発明を実施するための最良の形態】
【００１４】
本発明の携帯電話機１０は、図１に示すように、カメラ部１１と、携帯・放送送受信部１２とで構成されている。カメラ部１１では、外部に設けた撮影レンズ１３で結像した被写体画像をＣＣＤセンサ１４で撮像し、ＣＣＤセンサ１４から出力される画像信号をＣＤＳ／ＡＤ回路１５に送る。ＣＣＤセンサ１４は、ＣＣＤドライバ１６を介してメインＣＰＵ１７により駆動が制御される。ＣＤＳ／ＡＤ回路１５は、ＣＣＤセンサ１４の特有の残留電荷による誤差を補正するＣＤＳ（相間ダブルサンプラー）を内蔵した画像処理専用のＡ／Ｄコンバータ回路である。
【００１５】
ＣＤＳ／ＡＤ回路１５でコンバートしたデジタルの画像データは、第１バスライン１８に送られる。第１バスライン１８には、画像処理部１９、圧縮伸長部２０、ＩＦコントローラ２１、及びメインＣＰＵ１７などが接続されており、画像データは、メインＣＰＵ１７、及びＬＣＤドライバ２２を介してＬＣＤパネル２３にスルー表示として表示する。これらＣＤＳ／ＡＤ回路１５、画像処理部１９、圧縮伸長部２０、ＩＦコントローラ２１、及び、ＬＣＤドライバ２２は、メインＣＰＵ１７により駆動が統括的に制御されている。
【００１６】
メインＣＰＵ１７には、ＲＯＭ２４、第１ＳＤＲＡＭ２５、及び、操作部２６が接続されている。ＲＯＭ２４は、メインＣＰＵ１７、及び、詳しくは後述するサブＣＰＵ２７の動作を司る、撮影モード、テレビ放送受信モード（以下、「受信モード」と称す）、携帯電話機能等で使用するプログラム、ＭＰＥＧ形式の動画データやＪＰＥＧ形式の画像データを再生するプログラム、及びそれらのプログラムで使用する定数などが記憶されている。
【００１７】
第１ＳＤＲＡＭ（Synchronous DRAM）２５は、メインＣＰＵ１７の外部クロックに同期するメインメモリであり、一部が撮像して得た画像データを記憶しておく画像用メモリ、及び表示用メモリとして使用される。操作部２６には、撮影モードと受信モードとのモードを切り換えるモード切換スイッチ２８と、レリーズボタン２９とを備えている。レリーズボタン２９は、全ストロークのうちの略半分のストロークまでボタンが押されたことを検知する半押しスイッチＳ１と、全ストローク分ボタンが押されたことを検知する全押しスイッチＳ２とから構成されている。なお、操作部２６には、携帯電話の機能で使用するテンキーボタンや録画ボタンなどが設けられている。なお、これらボタンは、撮影モードやテレビ放送受信モード（以下、「受信モード」と称す）で使用するときにも兼用される。
【００１８】
ＩＦコントローラ２１には、インタフェース３０を介して第１スロット３１が接続されている。スロット３１には、記録媒体である第１メモリカード３２が着脱自在にセットされる。撮影モードを選択した場合、半押しスイッチＳ１を検知することに応答して図示していない測距及び測光とを行って、その時点で取り込んだ静止画の画像データを画像用メモリに取り込み、画像用メモリから読み出した画像データをＬＣＤパネル２３に表示する。そして、全押しスイッチＳ２を検知することに応答して画像用メモリから読み出した静止画の画像データを圧縮伸長部２０に送って圧縮し、圧縮した画像データをＩＦコントローラ２１に送って第１メモリカード３２に記録するように制御する。
【００１９】
携帯・放送送受信部１２には、アンテナ３４、地上波デジタル受信部３５、データ処理部３６、ＴＳ処理部３７、ＭＰＥＧ処理部３８、音声出力部３９、スピーカ４０、ＩＦコントローラ４１、第２スロット４２、携帯電話送受信部４３、携帯電話処理部４４、サブＣＰＵ２７、及び、第２ＳＤＲＡＭ４５などで構成されている。地上波デジタル受信部３５、データ処理部３６、ＴＳ処理部３７、ＭＰＥＧ処理部３８、ＩＦコントローラ４１、及びサブＣＰＵ２７の各々は、第２バスライン４６を介して接続されている。
【００２０】
アンテナ３４は、携帯電話と地上波デジタル放送のそれぞれの使用周波数に対応している。携帯電話送受信部４３、及び携帯電話処理部４４は携帯電話専用の回路部分であり、地上波デジタル受信部３５、データ処理部３６、及びＴＳ処理部３７が、地上波デジタル放送専用の回路部分である。さらに、サブＣＰＵ２７、ＭＰＥＧ処理部３８、及び音声出力部３９は、携帯電話機能と受信モードとにおいて共用される。
【００２１】
サブＣＰＵ２７は、メインＣＰＵ１７に同期して駆動するとともに、メイン及びサブＣＰＵ１７，２７の間には、データを授受するためのバスライン４５が接続されている。このサブＣＰＵ２７は、サブＣＰＵ２７の動作を司る、受信モード、携帯電話機能等のプログラム、ＭＰＥＧ形式の動画データやＪＰＥＧ形式の画像データを再生するプログラム、及びそれらのプログラムで使用する定数などがメインＣＰＵ１７を通してＲＯＭ２４から読み出され、これらプログラムを処理する。
【００２２】
つまり、デュアルＣＰＵ１７，２７のうちのサブＣＰＵ２７は受信モード処理や携帯電話モード処理などの高速処理を要する機能に最適化させ、もう１つのメインＣＰＵ１７に対しては撮影モード処理、表示処理などの一般的な制御手段（コントローラ）の役割を果たすようにしている。なお、サブＣＰＵ２７に第２ＲＯＭを接続して設け、第２ＲＯＭにサブＣＰＵの動作を司るプログラムなどを別に記憶させてもよい。
【００２３】
地上波デジタル受信部３５は、地上波デジタル放送を受信するための受信回路、映像・音声の復調回路等を備えて構成されている。データ処理部３６は、地上波デジタル放送受信部で受信した、比較的に短い一定長のパケットデータを復調処理して映像データ、音声データ、及びトランスポート（ＴＳ：Transport Streem）信号とを出力する。ＴＳ処理部３７は、トランスポート信号を復調し、ヘッダ、アダプテーションフィールド、及びペイロードなどを切り出してＭＰＥＧ処理部３８に送る。ＭＰＥＧ処理部３８は、データ処理部３６から得られる映像データ、及び音声データをトランスポート信号に基づいてＭＰＥＧ４形式の映像信号及び音声信号に復号化処理する。
【００２４】
復号化した映像信号は、サブＣＰＵ２７を介して第２ＳＤＲＡＭ４５の一部を使用する表示用メモリに書き込まれ、その後、メインＣＰＵ１７を介してＬＣＤドライバ２２に送られ、ＬＣＤパネル２３に表示される。音声出力部３９は、ＭＰＥＧ処理部３８で処理された音声信号をスピーカ４０により電気／音響変換して出力する。
【００２５】
また、地上波デジタル放送を記録する場合には、録画ボタンに応答してサブＣＰＵ２７が表示用メモリから読み出してＩＦコントローラ４１に送る。ＩＦコントローラ４１には、インターフェース４７を介して第２スロット４２が接続されている。第２スロット４２には第２メモリカード４８が着脱自在に設けられており、第２メモリカード４８にはＩＦコントローラ４１から送られる圧縮形式の動画データが記録される。
【００２６】
メインＣＰＵ１７は、操作部２６からのモード選択信号に基づいて撮像した画像データ又は受信した動画データのうちの何れか一方をＬＣＤパネル２３に表示するように制御する。ところで、テレビ放送を受信中又は録画中に撮影したい場合がある。この場合、テレビ放送をＬＣＤパネル２３に表示しているため、シャッタチャンスを逃す結果となる。
【００２７】
そこで、図２に示すように、テレビ放送を表示中にレリーズボタン２９の半押し操作を行うと、これに応答してメインＣＰＵ１７は、撮影モードを実行し、ＣＣＤセンサ１４で撮像した画像をＬＣＤパネル２３に表示するようにＣＣＤドライバ１６、画像処理部１９、及びＬＣＤドライバ２２を制御する。これにより、ＬＣＤパネル２３は、テレビ放送からＣＣＤセンサ１４で撮像する画像に表示が切り替わる。なお、テレビ放送中に割り込んで撮影を行う撮影モードを「割り込み撮影モード」と称す。また、割り込み撮影モードへの操作は、レリーズボタンの半押し操作に限らず、他のボタン操作で行うようにしてもよい。
【００２８】
割り込み撮影モードを実行中は、テレビ放送の表示が無効となる。このため、テレビ放送表示中から割り込み撮影モードに変えた場合、その後のテレビ放送のシーンを逃すことになる。このため、撮影中に受信するテレビ放送を録画するようにしている。つまり、メインＣＰＵ１７は、ＬＣＤパネル２３を撮影画像に切り換えることに応答して受信中のテレビ放送を第２メモリカード４８に記録するようにサブＣＰＵ２７を制御する。このため、メインＣＰＵ１７はスルー画像をＬＣＤパネル２３に表示する制御を行いながら、サブＣＰＵ２７はその時点で受信中のテレビ放送を録画するように携帯・放送送受信部１２を制御する。
【００２９】
割り込みする操作、すなわちレリーズボタンの半押し操作を行うと、これに応答してＬＣＤパネル２３をスルー画像の表示に切り替えると同時に、測距及び測光が行われ、そのまま全押し操作を行うことで撮影が行われる。この時点で取り込んだ静止画の画像データは第１メモリカードに記録される。
【００３０】
画像を記録した後には、再び受信モードに戻って受信中のテレビ放送をＬＣＤパネル２３に表示する。このとき、テレビ放送の録画も終了する。なお、録画データとしては、動画データ以外に、録画開始の日時及び終了日時などのタイムスタンプや、チャンネル番号などの情報も一緒に記録するのが、後から録画データを検索し易いから望ましい。
【００３１】
上記実施形態では、地上波デジタル放送の動画を表示中に割り込んで電子カメラにより撮影を迅速に行う例を説明しているが、地上波デジタル放送に限らず、携帯電話機能でインターネットに接続して、インターネットから、例えばストリーミング配信などによる動画データをダウンロードしながら表示しているときに、電子カメラによる撮影を割り込み可能に構成してもよい。この場合、インターネットから配信される動画データとしては、ＭＰＥＧ−４の規格に限らず、ＭＰＥＧ、ＭＰＥＧ−２、或いは「Ｈ．２６４」などの圧縮規格に対応するファイルとなっているため、データ処理部３６，ＴＳ処理部３７，及びＭＰＥＧ処理部３８の代わりに、圧縮規格に応じたファイルを再生することのできるデータ処理回路を設けておけばよい。
【００３２】
また、上記実施形態では、撮像した画像データを第１メモリカード３２に、またテレビ放送の動画データを第２メモリカード４８にそれぞれ分けて記録しているが、一つのメモリカードに記録するようにしてもよい。この場合、一つのメモリカードの記憶領域を画像用データの記録エリアと動画用データの記録エリアとに予めパーテーション分けして使用するのが望ましい。また、メモリカードとしては、着脱自在なタイプを使用しているが、固定の内蔵メモリを使用してもよい。
【００３３】
さらに、動画データは、ファイルサイズが大きくなるため、メモリの容量をオーバーすることがある。この場合、その時点で録画が終了する。このため、知らぬ間に録画が終了している不都合が生じる。そこで、操作部２６からの入力により、予め録画する時間又は記憶容量をメモリの記憶容量に応じて設定しておくように構成するのが好適である。これによれば、予め録画可能な最大の時間の目安を知ることができる。また、メモリの容量をオーバーする場合には、第１メモリカード３２に動画データを分けて上書きモードで記録するように構成してもよい。
【００３４】
上記実施形態では、電子カメラ及びテレビチューナー付きの携帯電話の例として説明しているが、本発明ではこれに限らず、携帯電話に限らず、ＰＤＡ等の携帯型電子機器に本発明を適用することができるのは言うまでもない。また、表示部としてはＬＣＤパネル２３を用いているが、これに限らず、周知の表示部であればいずれも用いることができる。
【図面の簡単な説明】
【００３５】
【図１】本発明の携帯型電子機器の電気的概略を示すブロック図である。
【図２】携帯型電子機器の操作手順を示すフローチャート図である。
【符号の説明】
【００３６】
１０  携帯電話
１１  カメラ部
１２  携帯・放送送受信部
１３  撮影レンズ
１４  ＣＣＤセンサ
１７  メインＣＰＵ
２７  サブＣＰＵ
２８  モード選択スイッチ
３２  第１メモリカード
４８  第２メモリカード
Ｓ１  レリーズボタンの半押し検知スイッチ
Ｓ２  レリーズボタンの全押し検知スイッチ
【図１】
2005303368.tif 000003
【図２】
2005303368.tif 000004